(57)【要約】【課題】断面が溝形の底部を有する補強用側板部を左右両側辺に備えている金属製の足場板を、水平に架設された足場板支持用鋼管の上に、簡単に且つ強固に固定出来る金具を提供する。【解決手段】足場板支持用鋼管３を把持するクランプ１２のベース部材１５の平坦底板部１５ｂに、１本の取付け用ボルトナット１８を介して取り付けられた足場板係止板１３に、ベース部材１５の横側方に延出する延出板部２０ａと、その遊端から足場板支持用鋼管３の側へ折曲形成された係止片２１ａが設けられ、この係止片２１の下側縁２４が、足場板係止板１３に対して傾斜し、この係止片２１の下側縁２４を、金属製足場板２の補強用側板部７ａの下側水平板部９上に当接させたとき、取付け用ボルトナット１８が金属製足場板２の長さ方向に対して傾斜する。【選択図】図３
2018021380.tif 000002
【特許請求の範囲】
【請求項１】
水平に架設された足場板支持用鋼管の上に載置された金属製足場板を前記足場板支持用鋼管に固定する金具であって、前記足場板支持用鋼管に着脱自在に締結されるクランプと、このクランプに取り付けられた足場板係止板とから成り、前記クランプは、連結支軸を介して互いに開閉自在に連結されたベース部材とカバー部材、及びベース部材の遊端部とカバー部材の遊端部とを互いに締結する係脱自在なクランプ用ボルトナットから成り、前記足場板係止板は、前記ベース部材の平坦底板部の外側に、１本の取付け用ボルトナットで取り付けられた取付け板部と、この取付け板部から一体に連設された係止片から成り、前記取付け用ボルトナットは、前記取付け板部の外側にナットが位置する向きに配置され、前記平坦底板部と前記足場板係止板の取付け板部には、互いに嵌合して前記取付け用ボルトナットの周りの相対回転を阻止する回り止め用突起と孔が設けられ、前記取付け板部には、前記クランプのベース部材の外側へ、前記足場板支持用鋼管の長さ方向に延出する延出板部が連設され、この延出板部は、その遊端の巾が前記取付け板部の巾よりも狭められ、前記係止片は、前記延出板部の遊端から、前記足場板支持用鋼管のある側に折曲され、この係止片は、前記延出板部の遊端から、前記足場板支持用鋼管のある側に折曲形成され、この係止片の下側縁は、前記取付け板部の表面に対して傾斜している、金属製足場板の固定金具。
【請求項２】
前記延出板部は、前記取付け板部から両側に連設され、この両側の延出板部の遊端からそれぞれ前記係止片が折曲連設されている、請求項１に記載の金属製足場板の固定金具。
【発明の詳細な説明】
【技術分野】
【０００１】
本発明は、水平に架設された足場板支持用鋼管の上に載置された金属製足場板を、当該足場板支持用鋼管に固定するための金具に関するものである。
【背景技術】
【０００２】
仮設足場は、垂直に立設された支柱用鋼管を利用して、同一高さで水平に架設された少なくとも２本の足場板支持用鋼管の上に足場板を載置して組み立てられるが、安全性を高めるために前記足場板は、足場板支持用鋼管に固定される。特許文献を示すことは出来ないが、一般的には、番線を利用して足場板を足場板支持用鋼管に固定していた。木材を帯状に裁断された木製足場板の場合は、番線により足場板支持用鋼管に足場板を緊縛することになるが、近年は、金属製足場板、即ち、帯状金属板の両側辺下側に、補強用側板部が折曲連設された金属製足場板、が多用されている。
【発明の概要】
【発明が解決しようとする課題】
【０００３】
上記のような金属製足場板では、両側辺下側に連設されている補強用側板部の強度を高めるために、当該補強用側板部を、表面帯状板部から折曲連設された垂直側板部と、この垂直側板部の下側辺から内側に折曲連設された水平板部と、この水平板部の内側辺から上向きに折曲連設された垂直立ち上がり板部とから成る溝形断面形状に構成されている。このような金属製足場板を、番線で足場板支持用鋼管に緊縛する方法では、番線が金属製足場板の外周面となじみ難いので、がたつきなく強固に足場板支持用鋼管に緊縛することが困難であるだけでなく、表面に露出している番線が、この足場板上を歩行する作業者の足に引っ掛かり易く、安全面でも問題があった。換言すれば、上記のような金属製足場板を、比較的簡単に、しかも当該金属製足場板の内側空間を利用して強固に、足場板支持用鋼管に固定出来るような金具は、考えられていなかった。
【課題を解決するための手段】
【０００４】
本発明は、上記のような従来の問題点を解消することのできる金属製足場板の固定金具を提案するものであって、本発明に係る金属製足場板の固定金具は、後述する実施例との関係を理解し易くするために、当該実施例の説明において使用した参照符号を括弧付きで付して示すと、水平に架設された足場板支持用鋼管(3)の上に載置された金属製足場板(2)を前記足場板支持用鋼管(3)に固定する金具であって、前記足場板支持用鋼管(3)に着脱自在に締結されるクランプ(12)と、このクランプ(12)に取り付けられた足場板係止板(13)とから成り、前記クランプ(12)は、連結支軸(14)を介して互いに開閉自在に連結されたベース部材(15)とカバー部材(16)、及びベース部材(15)の遊端部とカバー部材(16)の遊端部とを互いに締結する係脱自在なクランプ用ボルトナット(17)から成り、前記足場板係止板(13)は、前記ベース部材(15)の平坦底板部(15b)の外側に、１本の取付け用ボルトナット(18)で取り付けられた取付け板部(19)と、この取付け板部(19)から一体に連設された係止片(21a)から成り、前記取付け用ボルトナット(18)は、前記取付け板部(19)の外側にナット(18b)が位置する向きに配置され、前記平坦底板部(15b)と前記足場板係止板(13)の取付け板部(19)には、互いに嵌合して前記取付け用ボルトナット(18)の周りの相対回転を阻止する回り止め用突起(22a)と孔(23a)が設けられ、前記取付け板部(19)には、前記クランプ(12)のベース部材(15)の外側へ、前記足場板支持用鋼管(3)の長さ方向に延出する延出板部(20a)が連設され、この延出板部(20a)は、その遊端の巾が前記取付け板部(19)の巾よりも狭められ、前記係止片(21a)は、前記延出板部(20a)の遊端から、前記足場板支持用鋼管(3)のある側に折曲形成され、この係止片(21a)の下側縁は、前記取付け板部(19)の表面に対して傾斜した構成になっている。
【発明の効果】
【０００５】
上記本発明の構成によれば、前記取付け用ボルトナットが、先に説明した構造の金属製足場板の裏面の直下に位置する向きで、クランプを当該金属製足場板の内側に入り込ませると共に、傾斜下側縁が下向きになっている前記係止片を、前記金属製足場板の補強用側板部の内側に入り込ませる。この状態でクランプのカバー部材を上動させて、ベース部材とカバー部材とで、水平に架設されている足場板支持用鋼管を挟み込み、クランプ用ボルトナットでベース部材の遊端部とカバー部材の遊端部とを互いに締結するのであるが、このとき、前記係止片の傾斜下側縁の全域が、金属製足場板の補強用側板部における垂直側板部と垂直立ち上がり板部との間の水平板部上に当接するように、クランプを足場板支持用鋼管の周りに回転させた状態で、クランプ用ボルトナットによる締結作業を行う。この結果、前記係止片の傾斜下側縁と足場板支持用鋼管との間で、金属製足場板の補強用側板部における水平板部を、前記係止片の傾斜下側縁の全域が前記水平板部上に当接する状態で、挟持固定することが出来る。
【０００６】
上記のようにクランプを、足場板支持用鋼管の所定位置に所定向きで、クランプ用ボルトナットにより締結させるだけの比較的簡単で迅速に行える操作により、金属製足場板を足場板支持用鋼管に強固に固定することが出来る。しかも金属製足場板側には特別な加工も不要である。勿論、金属製足場板の外側に何も突出させないで済むので、安全性も確保出来る。
【０００７】
更に、上記本発明の構成によれば、前記係止片が、前記足場板支持用鋼管の軸心方向から見た側面視において、前記取付け用ボルトナットの軸心に対して当該係止片の巾の中心が、前記クランプ用ボルトナットのある側に偏る位置にあると共に、当該係止片の下側縁は、前記取付け板部の表面からの高さが、前記クランプ用ボルトナットのある側が高くなる向きに傾斜した構成になっているので、上記のように足場板支持用鋼管上に金属製足場板を固定したとき、前記足場板支持用鋼管の軸心方向から見た側面視において、前記取付け用ボルトナットが自動的に一定角度傾斜することになり、この取付け用ボルトナットが垂直姿勢になる場合と比較して、金属製足場板の補強用側板部の高さが低くとも、前記取付け用ボルトナットの上端（ボルトの遊端）が金属製足場板の裏面に干渉する恐れを回避出来る。又、係止片をクランプへ取り付けるための取付け板部には、係止片の巾に影響されずに十分な巾を持たせて、大径の取付け用ボルトナットと、突起と孔とによる回り止め構造の適用を可能にし、溶接などを利用せずに、強固に係止片をクランプに取り付けることが出来る。しかも係止片の巾は、前記取付け板部の巾に影響されずに必要最小限の巾に狭めることが出来るので、金属製足場板に対して足場板支持用鋼管が平面視で傾斜するような状況でも、金属製足場板の補強用側板部における水平板部の巾内に係止片の全域を確実に嵌合させて、所期の締結効果を確実に得ることが出来る。
【０００８】
上記本発明を実施する場合、前記延出板部(20a)は、前記取付け板部(19)から片側にのみ連設して、１つの係止片(21a)を備えた構造としても良いが、前記延出板部(20a,20b)を前記取付け板部(19)の両側に連設し、この両側の延出板部(20a,20b)の遊端からそれぞれ前記係止片(21a,21b)を折曲連設するのが望ましい。なぜならば、この構成によれば、金具全体が左右対称形になり、金具の向きを反転させなくとも、金属製足場板の右側辺側の補強用側板部を足場板支持用鋼管に取り付けるときは、金具の右側に突出している係止片を利用し、金属製足場板の左側辺側の補強用側板部を足場板支持用鋼管に取り付けるときは、金具の左側に突出している係止片を利用することが出来、作業性が向上する。
【図面の簡単な説明】
【０００９】
【図１】図１Ａは、本発明に係る金属製足場板の固定金具の使用状態を示す一部縦断側面図、図１Ｂは、図１ＡのＢ矢視部の拡大図である。
【図２】図２は、本発明に係る金属製足場板の固定金具の使用状態を示す底面図である。
【図３】図３Ａは、図１ＡのＸーＸ線拡大断面図、図３Ｂは、図３ＡのＹーＹ線断面図である。
【図４】図４Ａは、本発明に係る金属製足場板の固定金具の平面図、図４Ｂは図４ＡのＺーＺ線断面図である。
【図５】図５Ａは、本発明に係る金属製足場板の固定金具の第一変形例を示す平面図、図５Ｂは、本発明に係る金属製足場板の固定金具の第二変形例を示す平面図である。
【発明を実施するための形態】
【００１０】
図１Ａ〜図２において、１は金属製足場板の固定金具、２は金属製足場板、３は足場板支持用鋼管、４は垂直に立設された支柱用鋼管である。足場板支持用鋼管３は、１枚の金属製足場板２の少なくとも両端近傍２か所を支持出来る間隔で水平に配置されるもので、各足場板支持用鋼管３の両端部が支柱用鋼管４によって支持されている。この足場板支持用鋼管３と支柱用鋼管４とは、従来周知の２本の鋼管を交叉状態でクランプするパイプクランプ５によって互いに固定される。金属製足場板２は、表面帯状板部６の長さ方向に沿った左右両側辺から下側に補強用側板部７ａ，７ｂが連設された、従来周知のものである。補強用側板部７ａ，７ｂは、表面帯状板部６から折曲連設された垂直側板部８と、この垂直側板部８の下側辺から内側に折曲連設された水平板部９と、この水平板部９の内側辺から上向きに折曲連設された垂直立ち上がり板部１０とから成る溝形断面形状に構成されている。尚、図示の金属製足場板２には、左右両補強用側板部７ａ，７ｂ間の巾方向中央位置で表面帯状板部６の下側に、これら補強用側板部７ａ，７ｂと同一高さの中間補強部材１１が、金属製足場板２の長さ方向と平行に付設されている。この中間補強部材１１は、垂直板材１１ａの下側縁に水平帯状板１１ｂをＴ字形に溶接したものであるが、水平帯状板１１ｂに代えて、垂直板材１１ａの下側部に断面が三角形の筒状部を、当該垂直板材１１ａの曲げ加工により一体成形したものも知られている。
【００１１】
固定金具１は、図３Ａ〜図４Ｂに示すように、足場板支持用鋼管３に着脱自在に締結されるクランプ１２と、このクランプ１２に取り付けられた足場板係止板１３とから構成されている。前記クランプ１２は、連結支軸１４を介して互いに開閉自在に連結されたベース部材１５とカバー部材１６、及びベース部材１５の遊端部とカバー部材１６の遊端部とを互いに締結する係脱自在なクランプ用ボルトナット１７から構成されている。クランプ用ボルトナット１７は、ベース部材１５の遊端部に、連結支軸１４と平行な支軸１７ａにより揺動自在に取り付けられたボルト１７ｂと、このボルト１７ｂに螺嵌されたナット１７ｃから構成されたもので、前記ボルト１７ｂを、支軸１７ａの周りの揺動により、カバー部材１６の遊端二股部１６ｂに嵌入させた状態で、当該ボルト１７ｂの遊端部に螺嵌させたナット１７ｃを捻じ込むことにより、ベース部材１５に対してカバー部材１６を連結支軸１４の周りに閉動させて、ベース部材１５の円弧形内周縁１５ａとカバー部材１６の円弧形内周縁１６ａとの間で、足場板支持用鋼管３を締結することが出来る。
【００１２】
足場板係止板１３は、クランプ１２のベース部材１５における平坦底板部１５ｂの外側に１つの取付け用ボルトナット１８によって取り付けられる取付け板部１９と、この取付け板部１９から左右両側に延出する左右一対の延出板部２０ａ，２０ｂ、及び各延出板部２０ａ，２０ｂの遊端からクランプ１２のある内側に向けて直角に折曲連設された左右一対の係止片２１ａ，２１ｂから構成されている。この足場板係止板１３は、図４Ａに示すように、左右一対の係止片２１ａ，２１ｂの一側辺どうしを結ぶ直線状側辺１３ａに対し、反対側の中央部領域の側辺１３ｂが出っ張って、両側辺１３ａ，１３ｂ間に巾広の取付け板部１９を形成すると共に、側辺１３ｂの両端から各係止片２１ａ，２１ｂの他側辺に至る傾斜側辺１３ｃ，１３ｄと直線状側辺１３ａとの間に、取付け板部１９の左右両側から延出する、係止片２１ａ，２１ｂ側ほど巾が狭まった延出板部２０ａ，２０ｂが形成されている。従って、係止片２１ａ，２１ｂの巾は、取付け板部１９の巾より十分に狭められている。
【００１３】
前記取付け用ボルトナット１８のボルト１８ａは、ベース部材１５の平坦底板部１５ｂの内側から、当該平坦底板部１５ｂと、その外側に重なる足場板係止板１３の取付け板部１９を貫通し、取付け板部１９から突出するボルト１８ａにナット１８ｂが螺嵌している。足場板係止板１３がボルト１８ａの周りで回転するのを阻止するために、ベース部材１５の平坦底板部１５ｂに２つの回り止め用突起２２ａ，２２ｂがプレス加工により突設され、足場板係止板１３の取付け板部１９には、回り止め用突起２２ａ，２２ｂが嵌合する孔２３ａ，２３ｂが設けられている。図では、これら孔２３ａ，２３ｂは、取付け板部１９を貫通する貫通孔としているが、貫通しない凹入孔であっても良い。又、回り止め用突起２２ａ，２２ｂを取付け板部１９に設け、ベース部材１５の平坦底板部１５ｂに孔２３ａ，２３ｂを設けても良い。
【００１４】
ベース部材１５の平坦底板部１５ｂにおけるボルト１８ａの貫通位置は、当該平坦底板部１５ｂの巾の中央を通る長さ方向に沿った中心線上で且つ、当該平坦底板部１５ｂの長さ方向の中央位置よりも、クランプ用ボルトナット１７のボルト１７ｂを軸支する支軸１７ａに近い位置にある。そして２つの回り止め用突起２２ａ，２２ｂは、ボルト１８ａの貫通位置に対し前記支軸１７ａのある側とは反対側で、前記中心線に対し左右対称に設けられている。従って、足場板係止板１３の取付け板部１９においては、ボルト１８ａの貫通位置は、当該取付け板部１９の中心位置よりも直線状側辺１３ａに近い位置にあり、２つの孔２３ａ，２３ｂは、当該取付け板部１９の中心位置よりも中央部領域の側辺１３ｂに近い位置に設けられている。上記構成によれば、クランプ１２が把持する足場板支持用鋼管３の軸心方向から固定金具１を見たとき、図３Ａに示すように、取付け用ボルトナット１８のボルト１８ａの軸心は、足場板支持用鋼管３の中心近くを通り、係止片２１ａ，２１ｂは、その巾の中央位置が、ボルト１８ａの軸心よりもクランプ１２のクランプ用ボルトナット１７のある側に偏った位置にある。そして係止片２１ａ，２１ｂの下側縁２４は、取付け板部１９の表面からの折曲高さが、クランプ１２のクランプ用ボルトナット１７のある側ほど高くなるように、傾斜している。
【００１５】
図１Ａ〜図３Ｂに示すように、足場板支持用鋼管３上に載置された金属製足場板２を、固定金具１により足場板支持用鋼管３に固定する場合、クランプ１２のクランプ用ボルトナット１７のボルト１７ｂをカバー部材１６の遊端二股部１６ｂから外して、ベース部材１５に対しカバー部材１６を連結支軸１４の周りに開いた状態で、ベース部材１５を、金属製足場板２の下側で足場板支持用鋼管３上に被さる状態にする。この状態で当該固定金具１を、金属製足場板２の片側の補強用側板部７ａ／７ｂのある側へ、足場板支持用鋼管３に沿って移動させながら、当該補強用側板部７ａ／７ｂ側にある係止片２１ａ／２１ｂを、補強用側板部７ａ／７ｂの垂直立ち上がり板部１０を乗り越えさせ、当該係止片２１ａ／２１ｂを、補強用側板部７ａ／７ｂの水平板部９の上に載置させる。この後、足場板支持用鋼管３の下側に垂れ下がっているカバー部材１６を持ち上げて、ベース部材１５との間で足場板支持用鋼管３を挟む状態にし、クランプ用ボルトナット１７のボルト１７ｂをカバー部材１６の遊端二股部１６ｂに嵌合させ、当該遊端二股部１６ｂの外側でボルト１７ｂに螺嵌しているナット１７ｃを締め付け、カバー部材１６を、連結支軸１４の周りでベース部材１５の側へ閉動させる。
【００１６】
上記のようにして、クランプ１２のベース部材１５の円弧形内周縁１５ａと、カバー部材１６の円弧形内周縁１６ａとの間で、足場板支持用鋼管３を挟持させるのであるが、このとき、クランプ１２を足場板支持用鋼管３の周りに少し回転させて、図３Ａに示すように、係止片２１ａ／２１ｂの傾斜下側縁２４の全域を、補強用側板部７ａ／７ｂの水平板部９の上に当接載置させる。この状態でクランプ用ボルトナット１７のナット１７ｃを完全に締め付けて、クランプ１２を足場板支持用鋼管３に固定することにより、係止片２１ａ／２１ｂの傾斜下側縁２４の全域が、金属製足場板２の補強用側板部７ａ／７ｂにおける水平板部９の内側底面に当接した状態で、当該係止片２１ａ／２１ｂと足場板支持用鋼管３との間で、金属製足場板２の補強用側板部７ａ／７ｂにおける水平板部９を挟持固定することになる。尚、このとき、足場板係止板１３の取付け板部１９と係止片２１ａ／２１ｂとの間の延出板部２０ａ／２０ｂが少し上方に撓むように、両係止片２１ａ，２１ｂの傾斜下側縁２４の高さを設定しておくのが望ましい。
【００１７】
上記のように、足場板支持用鋼管３上に載置された金属製足場板２を、固定金具１により足場板支持用鋼管３に固定した状態を、足場板支持用鋼管３の軸心方向から見たとき、図３Ａに示すように、係止片２１ａ／２１ｂの傾斜下側縁２４の全域が、金属製足場板２の補強用側板部７ａ／７ｂにおける水平板部９の表面に当接しているため、クランプ１２のベース部材１５における平坦底板部１５ｂと、足場板係止板１３の取付け板部１９が、金属製足場板２の長さ方向に対し傾斜し、これに伴って、取付け用ボルトナット１８のボルト１８ａが傾斜することになる。この結果、取付け用ボルトナット１８のナット１８ｂから多少なりとも上方に突出することになるボルト１８ａの上端の、金属製足場板２の補強用側板部７ａ／７ｂにおける水平板部９の内側底面からの高さが低くなり、金属製足場板２の補強用側板部７ａ，７ｂの高さが比較的低い金属製足場板２に対して固定金具１を使用する場合でも、ボルト１８ａの上端が表面帯状板部６の底面に圧接したり、食い込むような状況になるのを回避出来る。
【００１８】
金属製足場板２の片側の補強用側板部７ａ／７ｂを足場板支持用鋼管３に固定金具１で固定する場合の手順を説明したが、両側の補強用側板部７ａ，７ｂの何れもを足場板支持用鋼管３に固定金具１で固定するのが望ましい。この場合、図１Ａ及び図２に示すように、同一の足場板支持用鋼管３に対して、金属製足場板２の左右両側の補強用側板部７ａ，７ｂを固定金具１で固定しても良いし、左右両側の補強用側板部７ａ，７ｂを異なる足場板支持用鋼管３に固定金具１で固定しても良い。何れの場合も、固定金具１には、左右両側に係止片２１ａ，２１ｂを左右対称に備えているので、固定金具１の向きを反転させなくとも、左右何れの補強用側板部７ａ，７ｂに対しても係止片２１ａ／２１ｂを係合させて固定させることが出来る。更に、足場板係止板１３の取付け板部１９には、ベース部材１５の平坦底板部１５ｂに対する取付け及び回り止めのために十分な巾（面積）を確保しながら、係止片２１ａ，２１ｂの巾は十分に狭めているので、図２の下半に示すように、金属製足場板２を支持する足場板支持用鋼管３が、当該金属製足場板２の長さ方向に対して傾斜しているような状況においても、係止片２１ａ，２１ｂを平面視において斜めの状態のまま、補強用側板部７ａ，７ｂの垂直側板部８と垂直立ち上がり板部１０との間で水平板部９上に載置させることが出来る。
【００１９】
尚、図５Ａに示すように、足場板係止板１３の延出板部２０ａ，２０ｂは、係止片２１ａ，２１ｂの巾と同一巾の帯板状に形成することも出来る。又、図５Ｂに示すように、足場板係止板１３は、取付け板部１９の片側にのみ、先端に係止片２１aを備えた延出板部２０ａが連設されたものであっても良い。
【産業上の利用可能性】
【００２０】
本発明の金属製足場板の固定金具は、建設現場において、断面が溝形の底部を有する補強用側板部を左右両側辺に備えている金属製の足場板を、水平に架設された足場板支持用鋼管の上に、簡単に且つ強固に固定出来る金具として活用出来る。
【符号の説明】
【００２１】
１    固定金具
２    金属製足場板
３    足場板支持用鋼管
４    支柱用鋼管
５    パイプクランプ
６    金属製足場板の表面帯状板部
７ａ，７ｂ    金属製足場板の補強用側板部
８    補強用側板部の垂直側板部
９    補強用側板部の水平板部
１０    補強用側板部の垂直立ち上がり板部
１１    中間補強部材
１２    クランプ
１３    足場板係止板
１４    連結支軸
１５    ベース部材
１５ａ，１６ａ    円弧形内周縁
１５ｂ    平坦底板部
１６    カバー部材
１６ｂ    遊端二股部
１７    クランプ用ボルトナット
１８    取付け用ボルトナット
１９    取付け板部
２０ａ，２０ｂ    延出板部
２１ａ，２１ｂ    係止片
２２ａ，２２ｂ    回り止め用突起
２３ａ，２３ｂ    回り止め用孔
２４    傾斜下側縁
【図１】
2018021380.tif 000003
【図２】
2018021380.tif 000004
【図３】
2018021380.tif 000005
【図４】
2018021380.tif 000006
【図５】
2018021380.tif 000007